(57)【要約】【課題】  復水ドレンを回収すること及び復水器に空気をいれないことという系統目的をより簡単な系統構成で達成できる復水回収装置を提供する。。【解決手段】  この復水回収装置は、各部からの復水ドレンラインに直結した復水ドレンヘッダ１０と、出口側を復水器１に接続された高さ１０ｍ以上のＵシール１１を有する復水ドレン送水ライン１４と、復水ドレンヘッダ１０からの水をＵシール１１の入口側頂部まで揚水しうるポンプ１２と、Ｕシール１１の入口側の空気を排出しうるベントライン１３とを備えている。【選択図】  図１
2006162172.tif 000002
【特許請求の範囲】
【請求項１】
各部からの復水ドレンラインに直結した復水ドレンヘッダと、
出口側を復水器に接続された高さ１０ｍ以上のＵシールを有する復水ドレン送水ラインと、
前記復水ドレンヘッダからの水を前記Ｕシールの入口側頂部まで揚水しうるポンプと、
前記Ｕシールの入口側の空気を排出しうるベントラインと
を備えたことを特徴とする復水回収装置。
【請求項２】
前記Ｕシールの入口側の垂直配管部に設置され、落水してきた復水ドレンを一旦回収するタンクと、
このタンクに接続されたベントラインとを
さらに備えたことを特徴とする請求項１記載の復水回収装置。
【請求項３】
前記ポンプの吸込側に、潤滑水を供給する手段をさらに備えたことを特徴とする請求項１又は２に記載の復水回収装置。
【請求項４】
前記ポンプは、軸潤滑水を供給する手段を有し復水ドレン量の多少に関わらず連続運転することが可能であることを特徴とする請求項１ないし３のいずれか１項に記載の復水回収装置。
【発明の詳細な説明】
【技術分野】
【０００１】
本発明は、発電所等で用いられる復水回収装置に関する。
【背景技術】
【０００２】
従来、原子力発電所や火力発電所では、給水ポンプ軸封戻り水等の復水ドレンを復水回収タンクに回収し、復水器真空度を利用して、復水器へ送水している。また、復水器真空度が上昇していない時は、タンク上面に設けた復水回収ポンプにより送水している。このような原子力発電所及び火力発電所の復水回収系統は、例えば図６のようになっている。すなわち、復水器１に復水ドレン送水ライン２を介して接続された復水回収タンク３は、復水ドレンライン４からの復水ドレンを回収し、復水器真空度を利用して復水回収ライン２を通じて復水器１に復水ドレンを送水する。また、復水器１に空気が混入し復水器真空度が低下することを防止するため、復水回収タンク３に水位計５を設置し、水位計５からの信号を基に水位制御装置６を介して水位調整弁７の開度を調整することで水位を一定範囲内に納めている。なお、プラント起動前などのように復水器真空度が上昇しておらずタンク水位が上昇してきた場合には、水位スイッチ８からの信号を受けて復水回収タンク３上部に設置されている復水回収ポンプ９を起動し復水ドレンを復水送水ライン２を介して、復水器１に送水するようになっている。
【０００３】
ところが、上記のような従来の復水ドレン回収系統では、復水ドレンを回収すること及び復水器に空気をいれないことという系統目的を達成するため、大型の復水回収タンク３と、水位計５、水位制御装置６及び水位調整弁７からなる水位制御系と、水位スイッチ８及び復水回収ポンプ９からなる機械式復水ドレン送水装置とを必要とし、複雑な構成となっている。
【発明の開示】
【発明が解決しようとする課題】
【０００４】
そこで本発明は、本系統の目的をより簡単な系統構成で達成できる復水回収装置を提供することで、プラント建設費とその後のメンテナンス費を低減することを目的とする。
【課題を解決するための手段】
【０００５】
上記目的を達成するために本発明は、各部からの復水ドレンラインに直結した復水ドレンヘッダと、出口側を復水器に接続された高さ１０ｍ以上のＵシールを有する復水ドレン送水ラインと、復水ドレンヘッダからの水をＵシールの入口側頂部まで揚水しうるポンプと、Ｕシールの入口側の空気を排出しうるベントラインとを備えたことを特徴とする。
【０００６】
この発明によれば、各部からの復水ドレンをポンプによりＵシール入口側頂部まで揚水し、Ｕシールを介して復水ドレンを復水器に送水することが出来る。また、復水ドレン送水ライン中の空気はＵシールによりシールされ、さらにＵシール入口側に設けられたベントラインから排出されるため、復水器に混入することを防ぐことが出来る。これにより、大型の復水回収タンクと、水位計、水位制御装置及び水位調整弁からなる水位制御系と、水位スイッチ及び復水回収ポンプからなる機械式復水ドレン送水装置を設置する必要がなくなる。
【０００７】
また、本発明は、前記Ｕシールの入口側の垂直配管部に設置され、落水してきた復水ドレンを一旦回収するタンクと、このタンクに接続されたベントラインとをさらに備えたことを特徴とする。この発明によればより確実にベントが行うことができる。
【０００８】
また、本発明は、前記ポンプの吸込側に潤滑水を供給する手段をさらに備えたことを特徴とする。この発明によれば、ポンプの連続運転に必要な最少流量を確保することによって、ポンプ連続運転を可能とし、間欠運転による駆動用電動機の負担を無くすことが出来る。
【０００９】
また、本発明は、前記ポンプは、軸潤滑水を供給する手段を有し復水ドレン量の多少に関わらず連続運転することが可能であることを特徴とする。この発明によれば、復水ドレン量の多少に関わらずポンプ連続運転を可能とし、間欠運転による駆動用電動機の負担を無くすことが出来る。また、ポンプ吸込側に潤滑水を供給する手段が途絶えた場合でも、復水ドレン量の多少に関わらずポンプ連続運転を可能とし、間欠運転による駆動用電動機の負担を無くすことが出来る。
【発明の効果】
【００１０】
本発明によれば、より簡単な系統構成で達成できる復水回収装置を提供することが出来る。
【発明を実施するための最良の形態】
【００１１】
以下、本発明の実施の形態について図１ないし図５を参照して説明する。 
図１は、本発明の第１の実施の形態の復水回収装置を示す。この復水回収装置には、各部からの復水ドレンラインに直結した復水ドレンヘッダ１０が設けられている。また、出口側を復水器１に接続された高さ１０ｍ以上のＵシール１１を有する復水ドレン送水ライン１４が設けられている。また、復水ドレンヘッダ１０にはＵシール１１の入口側頂部まで復水ドレンを揚水可能なポンプ１２が接続されている。そして、Ｕシール１１の入口側頂部にはエアベント１３のラインが設けられている。
【００１２】
この第１の実施の形態においては、各部からの復水ドレンを復水ドレンヘッダ１０に集め、ポンプ１２によりＵシール１１入口側頂部まで揚水し、Ｕシール１１を介して復水ドレンを復水器１に送水することが出来る。また、復水ドレン送水ライン１４中の空気はＵシール１１によりシールされ、さらにＵシール１１入口側に設けられたエアベント１３のラインから排出されるため、復水器１に混入することを防ぐことが出来る。
【００１３】
図２は、本発明に係る復水回収装置の第２の実施の形態を示すものである。
【００１４】
この第２の実施の形態においては、第１の実施の形態の復水回収装置のＵシール１１の入口側垂直配管部にタンク１５が設けられている。また、タンク１５にはタンクベント１６が設けられている。
【００１５】
この実施形態においては、各部からの復水ドレンを復水ドレンヘッダ１０に集め、ポンプ１２によりＵシール１１入口側頂部まで揚水し、Ｕシール１１を介して復水ドレンを復水器１に送水することが出来る。また、復水ドレン送水ライン１４中の空気はＵシール１１によりシールされ、さらにＵシール１１入口側に設けられたエアベント１３のラインとタンク１５を介してタンクベント１６のラインから排出されるため、図１に示す第１の実施の形態の復水回収装置と比較して、空気が復水器１に混入することをより防ぐことが出来る。
【００１６】
図３は、本発明に係る復水回収装置の第３の実施の形態を示すものである。
【００１７】
この第３の実施の形態においては、第１の実施の形態の復水回収装置のポンプ１２の吸込側に潤滑水供給ライン１７が設けられている。
【００１８】
この実施形態においては、ポンプ１２の連続運転に必要な最少流量を潤滑水供給ライン１７から供給することによって、ポンプ連続運転を可能とし、間欠運転による駆動用電動機の負担を無くし、安定した運転を確保することができる。
【００１９】
なお、この第３の実施の形態は、図４に示すように、第２の実施の形態の復水回収装置のポンプ１２の吸込側に潤滑水供給ライン１７が設けてもよく、同様の効果を得ることができる。
【００２０】
図５は、本発明に係る復水回収装置の第４の実施の形態に使用される軸潤滑水供給ライン１８を有し復水ドレン量の多少に関わらず連続運転することが可能なポンプ１９の構造を示している。
【００２１】
ポンプ１９は、ポンプ主軸２０、羽根車２１及びポンプ胴体２２で構成され、復水ドレンヘッダ１０と復水ドレン送水ライン１４とに接続されている。軸潤滑水供給ライン１８から軸潤滑水が常時供給されることにより、復水ドレンヘッダ１０からの復水ドレンがポンプ胴体２２を満水するのに十分でなかったとしても熱上昇による損傷が起こることはなしに連続運転することが可能となる。この時復水ドレンは、羽根車２１に昇圧されることなく復水ドレン送水ライン１４を通じてポンプ１９の吐出側に流れ出る。また、復水ドレンヘッダ１０からの復水ドレン量が増加し、ポンプ胴体２２内の水位が羽根車２１まで上昇すると、復水ドレンは羽根車２１によって昇圧され復水ドレン送水ライン１４に吐き出される。
【００２２】
この第４の実施の形態においては、上記第１ないし第３の実施の形態のポンプのかわりに、上述のような軸潤滑水供給ライン１８を有し復水ドレン量の多少に関わらず連続運転することが可能なポンプ１９を採用している。
【００２３】
この実施形態においては、復水ドレン量の多少に関わらずポンプの連続運転を可能とし、間欠運転による駆動用電動機の負担を無くすことが出来る。また、ポンプ吸込側に潤滑水を供給する手段が途絶えた場合でも、復水ドレン量の多少に関わらずポンプの連続運転を可能とし、間欠運転による駆動用電動機の負担を無くすことが出来る。
【図面の簡単な説明】
【００２４】
【図１】本発明の第１の実施の形態の復水回収装置を示す図。
【図２】本発明の第２の実施の形態の復水回収装置を示す図。
【図３】本発明の第３の実施の形態の復水回収装置を示す図。
【図４】本発明の第３の実施の形態の復水回収装置の他の例を示す図。
【図５】本発明の第４の実施の形態の復水回収装置に使用されるポンプの概略を示す図。
【図６】従来の復水回収装置を示す図。
【符号の説明】
【００２５】
１  復水器
１０  復水ドレンヘッダ
１１  Ｕシール
１２  ポンプ
１３  エアベント
１４  復水ドレン送水ライン
１５  タンク
１６  タンクベント
１７  潤滑水供給ライン
１８  軸潤滑水供給ライン
１９  ポンプ
【図１】
2006162172.tif 000003
【図２】
2006162172.tif 000004
【図３】
2006162172.tif 000005
【図４】
2006162172.tif 000006
【図５】
2006162172.tif 000007
【図６】
2006162172.tif 000008